(57)【要約】【課題】集塵手段に大きな振動を与えることで、集塵手段に付着した塵埃を効果的に除塵でき、塵埃を集塵し続けても集塵性能が低下しない使用性の高い電気掃除機を提供することを目的とする。【解決手段】吸引風を発する電動送風機１５と、吸引した塵埃を捕集する集塵手段１３と、前記集塵手段１３の少なくとも一部に接する部材２５とを備え、前記部材２５を上下方向に移動させることで、前記集塵手段１３に付着した塵埃を除塵するもので、集塵手段１３に付着した塵埃を効果的に除塵することが可能となり、塵埃を集塵し続けても集塵性能が低下せず、初期の吸込み力を長時間維持することができ、使用性の高い電気掃除機を提供できる。【選択図】  図１
2004174044.tif 000002
【特許請求の範囲】
【請求項１】
吸引風を発する電動送風機と、吸引した塵埃を捕集する集塵手段と、前記集塵手段の少なくとも一部に接する部材とを備え、前記部材を上下、左右、前後あるいはこれらの組み合わせ方向の少なくともいずれか１方向に移動させることで、前記集塵手段に付着した塵埃を除塵する電気掃除機。
【請求項２】
吸引風を発する電動送風機と、吸引した塵埃を捕集する集塵手段と、振動発生体と、前記集塵手段と前記振動発生体を内蔵した掃除機本体とを備え、前記振動発生体が発する振動が前記掃除機本体に伝達することで、前記集塵手段に付着した塵埃を除塵する電気掃除機。
【請求項３】
振動発生体を超音波振動器とした請求項２記載の電気掃除機。
【請求項４】
吸引風を発する電動送風機と、吸引した塵埃を捕集する集塵手段と、振動発生体および／または回転自在な回転体と、前記集塵手段の少なくとも一部に接する部材とを備え、前記振動発生体が発する振動および／または回転体の回転が、前記部材に伝達することで、前記集塵手段に付着した塵埃を除塵する電気掃除機。
【請求項５】
吸引風を発する電動送風機と、吸引した塵埃を捕集する集塵手段と、回転自在な回転体とを備え、前記回転体を前記集塵手段に接触させ回転させることで、前記集塵手段に付着した塵埃を除塵する電気掃除機。
【請求項６】
回転体は複数のブラシを備え、前記複数のブラシは硬質のブラシと軟質のブラシから構成されてなる請求項５記載の電気掃除機。
【請求項７】
集塵手段の少なくとも一部に接する部材と、回転体を回転させる電動機とを備え、前記部材に前記電動機を配するとともに、前記電動機の回転とともに回転する錘を、前記電動機に設けた請求項５または６記載の電気掃除機。
【請求項８】
電動送風機に電源を供給する電源コードと、前記電源コードを収納する回転自在なコードリールとを備え、前記コードリールの回転と連動して回転体が回転する請求項５または６記載の電気掃除機。
【請求項９】
電動送風機を内蔵した掃除機本体と、前記掃除機本体に配された走行手段とを備え、前記走行手段の回転と連動して回転体が回転する請求項５または６記載の電気掃除機。
【発明の詳細な説明】
【０００１】
【発明の属する技術分野】
本発明は、集塵袋に塵埃が溜まっても吸塵力の低下を防止できる電気掃除機に関するものである。
【０００２】
【従来の技術】
従来の電気掃除機を、図１１を用いて説明する。
【０００３】
従来の電気掃除機にあっては、以下に示すような構成となっていた。すなわち、吸引風を発する電動送風機１を内蔵した電動送風機室２と、吸引した塵埃を捕集する集塵手段である集塵袋３を内蔵した集塵室４と、前記集塵室４の前部に発振子５と、集塵袋３の後部に圧電式の振動子６を備えている。前記振動子６は、集塵室４内に、集塵袋３の後部に接して設けてある。
【０００４】
上記構成による電気掃除機では、集塵袋３に塵埃が吸い込まれた時、集塵袋３の後方に保持している振動子６により、前記集塵袋３を振動させることで、前記集塵袋３の内部に付着した塵埃を除去するものである（例えば、特許文献１参照。）。
【０００５】
【特許文献１】
特開平５−１９２２７８号公報
【０００６】
【発明が解決しようとする課題】
しかしながら、上記従来の構成では、集塵袋３の内部に付着した微細塵を叩き落とすとき、集塵袋３に接している振動子６の振動は、軟質の集塵袋３によって振動が吸収されるため、集塵袋３に大きな振動を与えることができない。従って効果的な除塵効果が望めないという課題があった。
【０００７】
本発明は上記課題を解決するものであり、集塵手段に大きな振動を与えることで、集塵手段に付着した塵埃を効果的に除塵でき、塵埃を集塵し続けても集塵性能が低下しない使用性の高い電気掃除機を提供することを目的とする。
【０００８】
【課題を解決するための手段】
上記目的を達成するために本発明は、吸引風を発する電動送風機と、吸引した塵埃を捕集する集塵手段と、前記集塵手段の少なくとも一部に接する部材とを備え、前記部材を上下、左右、前後あるいはこれらの組み合わせ方向の少なくともいずれか１方向に移動させることで、前記集塵手段に付着した塵埃を除塵するもので、集塵手段の少なくとも一部に接する部材を、上下、左右、前後あるいはこれらの組み合わせ方向の少なくともいずれか１方向に移動させることで、集塵手段に直接的に大きな振動を伝えることができ、その結果、集塵手段に付着した塵埃を効果的に除塵することが可能となり、塵埃を集塵し続けても集塵性能が低下せず、初期の吸込み力を長時間維持することができ、使用性の高い電気掃除機を提供できる。
【０００９】
【発明の実施の形態】
本発明の請求項１記載の発明は、吸引風を発する電動送風機と、吸引した塵埃を捕集する集塵手段と、前記集塵手段の少なくとも一部に接する部材とを備え、前記部材を上下、左右、前後あるいはこれらの組み合わせ方向の少なくともいずれか１方向に移動させることで、前記集塵手段に付着した塵埃を除塵するもので、集塵手段の少なくとも一部に接する部材を、上下、左右、前後あるいはこれらの組み合わせ方向の少なくともいずれか１方向に移動させることで、集塵手段に直接的に大きな振動を伝えることができ、その結果、集塵手段に付着した塵埃を効果的に除塵することが可能となり、塵埃を集塵し続けても集塵性能が低下せず、初期の吸込み力を長時間維持することができ、使用性の高い電気掃除機を提供できる。
【００１０】
本発明の請求項２記載の発明は、吸引風を発する電動送風機と、吸引した塵埃を捕集する集塵手段と、振動発生体と、前記集塵手段と前記振動発生体を内蔵した掃除機本体とを備え、前記振動発生体が発する振動が前記掃除機本体に伝達することで、前記集塵手段に付着した塵埃を除塵するもので、振動発生体が発する振動が掃除機本体に伝わり、その振動が集塵手段にも伝達されるため、集塵手段に大きな振動を伝えることができ、その結果、集塵手段に付着した塵埃を効果的に除塵することが可能で、塵埃を集塵し続けても集塵性能が低下せず、初期の吸込み力を長時間維持することができる。また、特に、集塵手段として集塵袋を使用した場合には、前記集塵袋の繊維内に入り込んだ塵埃をより除去でき、初期の吸込み力を長期間維持することができる。
【００１１】
本発明の請求項３記載の発明は、振動発生体を超音波振動器としたもので、超音波振動器が発する振動が掃除機本体に伝わり、その振動が集塵手段にも伝達されるため、集塵手段に大きな振動を伝えることができ、その結果、集塵手段に付着した塵埃を効果的に除塵することが可能で、塵埃を集塵し続けても集塵性能が低下せず、初期の吸込み力を長時間維持することができる。また、特に、集塵手段として集塵袋を使用した場合には、前記集塵袋の繊維内に入り込んだ塵埃をより除去でき、初期の吸込み力を長期間維持することができる。また、振動発生体として超音波振動器を用いることで、容易に振動発生体の構成が実現できる。
【００１２】
本発明の請求項４記載の発明は、吸引風を発する電動送風機と、吸引した塵埃を捕集する集塵手段と、振動発生体および／または回転自在な回転体と、前記集塵手段の少なくとも一部に接する部材とを備え、前記振動発生体が発する振動および／または回転体の回転が、前記部材に伝達することで、前記集塵手段に付着した塵埃を除塵するもので、前記振動発生体が発する振動および／または回転体の回転が、前記部材に伝達することで、集塵手段に直接的に大きな振動を伝えることができ、その結果、集塵手段に付着した塵埃を効果的に除塵することが可能で、塵埃を集塵し続けても集塵性能が低下せず、初期の吸込み力を長時間維持することができる。また、特に、集塵手段として集塵袋を使用した場合には、前記集塵袋の繊維内に入り込んだ塵埃をより除去でき、初期の吸込み力を長期間維持することができる。
【００１３】
本発明の請求項５記載の発明は、吸引風を発する電動送風機と、吸引した塵埃を捕集する集塵手段と、回転自在に回転する回転体とを備え、前記回転体を前記集塵手段に接触させ回転させることで、前記集塵手段に付着した塵埃を除塵するもので、集塵手段の表面を直接回転体にて叩くことができ、その結果、集塵手段に付着した塵埃を効果的に除塵することが可能で、塵埃を集塵し続けても集塵性能が低下せず、初期の吸込み力を長時間維持することができる。また、特に、集塵手段として集塵袋を使用した場合には、前記集塵袋の繊維内に入り込んだ塵埃をより除去でき、初期の吸込み力を長期間維持することができる。
【００１４】
本発明の請求項６記載の発明は、回転体は複数のブラシを備え、前記複数のブラシは硬質のブラシと軟質のブラシから構成されてなるもので、軟質のブラシで集塵手段の広い範囲を叩き、硬質のブラシで集塵手段の表面を強く叩くことにより効率的に広範囲を叩き出すことが可能となる。特に、集塵手段として集塵袋を使用した場合には、集塵袋の通気性が回復し、初期の吸込み力を長期間保持することができる。
【００１５】
本発明の請求項７記載の発明は、集塵手段の少なくとも一部に接する部材と、回転体を回転させる電動機とを備え、前記部材に前記電動機を配するとともに、前記電動機の回転とともに回転する錘を、前記電動機に設けたもので、回転体で集塵手段の叩き出しを行い、かつ錘の重心以外の部分を回転中心として電動機の回転軸に保持し、前記電動機を回転させるため、その結果、部材および集塵手段自体が振動し、効果的に集塵手段の除塵を行うことができる。特に、集塵手段として集塵袋を使用した場合には、集塵袋の通気性が回復し、初期の吸込み力を長期間保持することができる。
【００１６】
本発明の請求項８記載の発明は、電動送風機に電源を供給する電源コードと、前記電源コードを収納する回転自在なコードリールとを備え、前記コードリールの回転と連動して回転体が回転するもので、電源コードを引き出したり、巻き込んだりしたときにコードリールが回転する。このとき連動した回転体に回転力が伝わり集塵手段の表面を直接叩くので、効果的に集塵手段の除塵を行うことができる。特に、集塵手段として集塵袋を使用した場合には、集塵袋の通気性が回復し、初期の吸込み力を長期間保持することができる。
【００１７】
本発明の請求項９記載の発明は、電動送風機を内蔵した掃除機本体と、前記掃除機本体に配された走行手段とを備え、前記走行手段の回転と連動して回転体が回転するもので、掃除機本体を移動させ、走行手段が回転するたびに走行手段に連動した回転体が回転し、集塵手段の表面を叩くので、効果的に集塵手段の除塵を行うことができる。特に、集塵手段として集塵袋を使用した場合には、集塵袋の通気性が回復し、初期の吸込み力を長期間保持することができる。
【００１８】
【実施例】
（実施例１）
以下、本発明の第１の実施例を図１を用いて説明する。
【００１９】
図１において、掃除機本体１１は、外郭を形成する上方開口した下カバー１２の前方に吸引した集塵を捕集し通気性を有する集塵手段であり軟質の紙から形成されてなる集塵袋１３を収納する集塵室１４と、後方には吸引風を発生する電動送風機１５を収納する電動送風機室１６を設けており、電動送風機室１６の上方を上カバー１７によって覆い、電動送風機１５はクッション１８を介して下カバー１２と上カバー１７とで狭持されている。集塵室１４の上方は、上カバー１７に軸支して開閉自在に回動する蓋体１９によって覆っており、また、集塵室１４を仕切る仕切壁２０を下カバー１２に設け、前記蓋体１９に相対するように配置させている。集塵室１４と電動送風機室１６とは、前記仕切壁２０によって区画されており、仕切壁２０に連通口２２を設けて、集塵室１４と電動送風機室１６が連通するようにしてある。また、この連通口２２は格子状にリブにて形成している。
【００２０】
集塵室１４の前方には、前壁２３が形成されそこには、逆止弁２４が設けられている。その逆止弁２４に密着して部材であるバスケット２５が上下方向に移動可能に保持されていて、前記バスケット２５の内部には集塵手段である集塵袋１３が収納され、前記集塵袋１３の外表面の一部（本実施例においては、集塵袋１３の側面及び下面）が前記バスケット２５の表面と接触している。また、前記バスケット２５は吸気下流方向に通気部を有している。この集塵袋１３と逆支弁２４は、バスケット２５に保持した前パッキン２６により気密が保たれている。集塵室１４の下部の空間には、電動機２７が収納され、その電動機２７の軸にはカム２８が固定されている。このカム２８は回転する時にバスケット２５を押し上げる位置に設置されている。
【００２１】
前記バスケット２５を駆動させる駆動手段である電動機２７が設けられていて、前記電動機２７を運転すると同時にカム２８も回転する。これによりバスケット２５を上方向に持ち上げ、次にバスケット２５を下方向に落とす動作を高スピードで行うこととなる。これにより集塵袋１３は、通常使用状態において、上下方向に移動しながら振動することで、集塵袋１３の繊維に入り込んだ微細塵は振い落とされることとなる。集塵性能の低下は、集塵袋１３の内面の繊維中に微細塵が入り込むことで、通気性が低下することによって引き起こされるが、集塵袋１３に付着した細塵を取り除くことで通気性が回復する。これにより、初期の吸込み力が長く維持できることとなり最後まで強い吸込み性が維持できる。
【００２２】
（実施例２）
以下、本発明の第２の実施例を図２を用いて説明する。なお、上記実施例と同一部品には同一符号を付し、その説明は省略する。
【００２３】
図２に示すように、集塵室１４の後方に、内部に集塵手段である集塵袋１３が収納され、前記集塵袋１３の外表面の一部（本実施例においては、集塵袋１３の側面および下面）が表面と接触し、一部通気部を有する部材であるバスケット２５を、駆動させる駆動手段である電動機２７を保持し、その軸３０に回転盤３１を固定している。この回転盤３１の外周部に連結軸３２を保持し、その他端をバスケット２５に連結している。
【００２４】
電動機２７を運転すると連結軸３２が前後に往復運動する。これによりバスケット２５も前後方向に動く。この時、集塵手段である集塵袋１３の硬質の紙から形成されてなる口紙部３３は、口紙押え３４により固定されているため、集塵袋１３の袋部３５のみが、通常使用状態において、前後方向に移動しながら振動する。従って振動により、口紙部３３からゴミは洩れる心配はない。集塵袋１３を前後方向に移動しながら振動させることにより、集塵袋１３の繊維に入り込んだ微細塵は振い落とされることとなる。集塵性能の低下は、集塵袋１３の内面の繊維中に微細塵が入り込むことで、通気性が低下することによって引き起こされるが、集塵袋１３に付着した細塵を取り除くことで通気性が回復する。これにより、初期の吸込み力が長く維持できることとなり最後まで強い吸込み性が維持できる。
【００２５】
なお、上記実施例１および実施例２においては、上下方向または前後方向にバスケット２５を移動させる場合について述べているが、上下、左右、前後あるいはこれらの組み合わせ方向の少なくともいずれか１方向に移動させることも、もちろん可能で、上記と同様の効果が得られることはいうまでもない。
【００２６】
（実施例３）
以下、本発明の第３の実施例を図３を用いて説明する。なお、上記実施例と同一部品には同一符号を付し、その説明は省略する。
【００２７】
図３に示すように、集塵室１４の下部の空間に、錘３６の重心以外の部分を回転中心として電動機２７の回転軸に保持し、前記電動機２７を回転させることで、掃除機本体１１が振動する。これにより、集塵袋１３の繊維に入り込んだ微細塵は振い落とされることとなる。集塵性能の低下は、集塵袋１３の内面の繊維中に微細塵が入り込むことで、通気性が低下することによって引き起こされるが、集塵袋１３に付着した細塵を取り除くことで通気性が回復する。これにより、初期の吸込み力が長く維持できることとなり最後まで強い吸込み性が維持できる。
【００２８】
なお、図４に示すように、集塵室１４の下部の空間に超音波発生器３８を保持する。これにより超音波発生器３８を運転すると超音波が発生して振動が生じ、掃除機本体１１を振動させる構成でも、同様の効果は得られる。
【００２９】
（実施例４）
以下、本発明の第４の実施例を図５を用いて説明する。なお、上記実施例と同一部品には同一符号を付し、その説明は省略する。
【００３０】
図５に示すように、集塵室１４の上部に、集塵手段である集塵袋１３の外表面の一部（本実施例においては、集塵袋１３の上面）が表面と接触していて、一部通気部を有する部材である上バスケット３９を保持する。この上部に錘４０の重心以外の部分を回転中心として電動機４０の回転軸に保持した電動機２７を固定する。上バスケット３９の前方は、ビス４２にて蓋体１９に固定されている。電動機２７を取り付けた上バスケット３９の部分は、固定されていないため、電動機２７を運転すると振動が生じ、上バスケット３９自体が振動する。
【００３１】
通常使用状態において、上バスケット３９の表面が集塵袋１３の表面に接し、前記集塵袋１３を振動させることで、集塵袋１３の繊維に入り込んだ微細塵は振い落とされることとなる。集塵性能の低下は、集塵袋１３の内面の繊維中に微細塵が入り込むことで、通気性が低下することによって引き起こされるが、集塵袋１３に付着した細塵を取り除くことで通気性が回復する。これにより、初期の吸込み力が長く維持できることとなり最後まで強い吸込み性が維持できる。
【００３２】
（実施例５）
以下、本発明の第５の実施例を図６、図７を用いて説明する。なお、上記実施例と同一部品には同一符号を付し、その説明は省略する。
【００３３】
図６に示すように、集塵室１４の上部に、集塵手段である集塵袋１３の外表面の一部（本実施例においては、集塵袋１３の上面）が表面と接触し、一部通気部を有する部材である上バスケット３９を保持する。上バスケット３９の後方内部に回転体なる回転ブラシ４３を配し、前記回転ブラシ４３は駆動手段である電動機２７にてプーリー２９を介して駆動される。回転ブラシ４３が回転すると、前記回転ブラシ４３のブラシ部分が集塵袋１３に接触し、前記集塵袋１３を叩き除塵が行える。
【００３４】
通常使用状態において、回転ブラシ４３のブラシ部分が、前記集塵袋１３を叩くことで、集塵袋１３の繊維に入り込んだ微細塵は振い落とされることとなる。集塵性能の低下は、集塵袋１３の内面の繊維中に微細塵が入り込むことで、通気性が低下することによって引き起こされるが、集塵袋１３に付着した細塵を取り除くことで通気性が回復する。これにより、初期の吸込み力が長く維持できることとなり最後まで強い吸込み性が維持できる。
【００３５】
また、図７に示すように、この回転ブラシ４３は、硬質のブラシ４６と軟質のブラシ４７を交互に配していてもよくこれにより、軟質のブラシ４７で集塵袋１３の広範囲な部分を叩き、硬質ブラシ４６で集塵袋１３を強く叩くことで、より効果的に集塵袋１３の除塵が行え、初期の集塵性を維持できる。また、硬質のブラシ４６を軟質のブラシ４７より突出代を長くすることで上記効果は、著しく発揮される。
【００３６】
なお、本実施例においては、回転体なる回転ブラシ４３を電動機２７にて駆動させたが、集塵室１４内を通過する吸引風により、回転させる構成でも、上記と同様の効果は得られる。
【００３７】
（実施例６）
以下、本発明の第６の実施例を図８を用いて説明する。なお、上記実施例と同一部品には同一符号を付し、その説明は省略する。
【００３８】
図８に示すように、集塵室１４の上部に、集塵手段である集塵袋１３の外表面の一部（本実施例においては、集塵袋１３の上面）が表面と接触し、一部通気部を有する部材である上バスケット３９を保持する。上バスケット３９の後方内部に回転体なる回転ブラシ４３を配し、前記回転ブラシ４３は駆動手段である電動機２７にて駆動される。回転ブラシ４３が回転すると、前記回転ブラシ４３のブラシ部分が集塵袋１３に接触し、前記集塵袋１３を叩き除塵が行える。
【００３９】
また、錘４０の重心以外の部分を回転中心として電動機４０の回転軸に保持した電動機２７を固定する。上バスケット３９の前方は、ビス４２にて蓋体１９に固定されている。電動機２７を取り付けた上バスケット３９の部分は、固定されていないため、電動機２７を運転すると振動が生じ、上バスケット３９自体が振動する。
【００４０】
通常使用状態において、電動機４９を運転すると、回転ブラシ４３のブラシ部分が、前記集塵袋１３を叩くことで、集塵袋１３の繊維に入り込んだ微細塵は振い落とされることとなると同時に、上バスケット３９の表面が集塵袋１３の表面に接し、前記集塵袋１３を振動させることで、集塵袋１３の繊維に入り込んだ微細塵は振い落とされることとなる。集塵性能の低下は、集塵袋１３の内面の繊維中に微細塵が入り込むことで、通気性が低下することによって引き起こされるが、集塵袋１３に付着した細塵を取り除くことで通気性が回復する。これにより、初期の吸込み力が長く維持できることとなり最後まで強い吸込み性が維持できる。
【００４１】
なお、本実施例においては、回転体なる回転ブラシ４３を電動機２７にて駆動させたが、集塵室１４内を通過する吸引風により、回転させる構成でも、上記と同様の効果は得られる。
【００４２】
さらに、回転ブラシ４３を備えずに、錘４０のみを回転させて振動を発生させ、前記上バスケット３９および集塵袋１３を振動させるのみでも、効果的に集塵袋１３の除塵を行うことができる。
【００４３】
（実施例７）
以下、本発明の第７の実施例を図９を用いて説明する。なお、上記実施例と同一部品には同一符号を付し、その説明は省略する。
【００４４】
図９に示すように、集塵室１４の後方に回転体なる回転ブラシ４３を配し、電動送風機室１６には、電動送風機（図示せず）に電源を供給する電源コード（図示せず）を収納するコードリール５２を配設する。その中心軸５３に連動して、回転ブラシ４３を回転するようベルト５４を配設している。これにより、掃除前後に、電源コードを引き出したり巻き込んだりするたびに、コードリール５２は回転するが、その回転に連動して前記回転ブラシ４３が回転する。いわゆるコードリール５２の回転を前記回転ブラシ４３の回転の駆動手段としている構成となっている。
【００４５】
掃除前後に、回転ブラシ４３のブラシ部分が、前記集塵袋１３を叩くことで、集塵袋１３の繊維に入り込んだ微細塵は振い落とされることとなる。集塵性能の低下は、集塵袋１３の内面の繊維中に微細塵が入り込むことで、通気性が低下することによって引き起こされるが、集塵袋１３に付着した細塵を取り除くことで通気性が回復する。これにより、初期の吸込み力が長く維持できることとなり最後まで強い吸込み性が維持できる。
【００４６】
（実施例８）
以下、本発明の第８の実施例を図１０を用いて説明する。なお、上記実施例と同一部品には同一符号を付し、その説明は省略する。
【００４７】
図１０に示すように、集塵室１４の後方に回転体なる回転ブラシ４３を配し、掃除機本体１１の走行手段である車輪５５の軸５６に連動して、回転ブラシ４３を回転するようベルト５４を配設している。これにより、掃除中に、車輪５５が回転するたびに、その回転に連動して前記回転ブラシ４３が回転する。いわゆる車輪５５の回転を前記回転ブラシ４３の回転の駆動手段としている構成となっている。
【００４８】
掃除中に、回転ブラシ４３のブラシ部分が、前記集塵袋１３を叩くことで、集塵袋１３の繊維に入り込んだ微細塵は振い落とされることとなる。集塵性能の低下は、集塵袋１３の内面の繊維中に微細塵が入り込むことで、通気性が低下することによって引き起こされるが、集塵袋１３に付着した細塵を取り除くことで通気性が回復する。これにより、初期の吸込み力が長く維持できることとなり最後まで強い吸込み性が維持できる。
【００４９】
【発明の効果】
本発明によれば、集塵手段に大きな振動を与えることで、集塵手段に付着した塵埃を効果的に除塵でき、塵埃を集塵し続けても集塵性能が低下しない使用性の高い電気掃除機を提供できる。
【図面の簡単な説明】
【図１】本発明の第１の実施例を示す掃除機本体の縦断面図
【図２】本発明の第２の実施例を示す掃除機本体の縦断面図
【図３】本発明の第３の実施例を示す掃除機本体の縦断面図
【図４】同他の実施例を示す掃除機本体の縦断面図
【図５】本発明の第４の実施例を示す掃除機本体の縦断面図
【図６】本発明の第５の実施例を示す掃除機本体の一部縦断面図
【図７】同他の実施例を示す掃除機本体の一部縦断面図
【図８】本発明の第６の実施例を示す掃除機本体の一部縦断面図
【図９】本発明の第７の実施例を示す掃除機本体の縦断面図
【図１０】本発明の第８の実施例を示す掃除機本体の縦断面図
【図１１】従来の掃除機本体の縦断面図
【符号の説明】
１１  掃除機本体
１３  集塵袋（集塵手段）
１４  集塵室
１５  電動送風機
１６  電動送風機室
２５  バスケット（部材）
２７  電動機
２８  カム
【図１】
2004174044.tif 000003
【図２】
2004174044.tif 000004
【図３】
2004174044.tif 000005
【図４】
2004174044.tif 000006
【図５】
2004174044.tif 000007
【図６】
2004174044.tif 000008
【図７】
2004174044.tif 000009
【図８】
2004174044.tif 000010
【図９】
2004174044.tif 000011
【図１０】
2004174044.tif 000012
【図１１】
2004174044.tif 000013